(57)【要約】【課題】原稿サイズまたは記録紙サイズのいずれかを優先するモードを選択し、プリントサイズを予め指定できる構成を有する印刷システムを提供すること。【解決手段】原稿画像を拡大または縮小する拡大・縮小手段と、原稿画像を印刷する印刷手段と、該拡大・縮小手段及び該印刷手段に動作の開始を指示する操作手段と、複数サイズの記録紙を収納しうる一つまたは複数の記録紙収納手段と、を有する印刷システムにおいて、該操作手段には、原稿サイズ優先モードまたは記録紙サイズ優先モードのいずれかを選択しうるモード選択手段が備えられていることを特徴とする印刷システム。【選択図】        図３
2004326512.tif 000002
【特許請求の範囲】
【請求項１】
原稿画像を拡大または縮小する拡大・縮小手段と、
原稿画像を印刷する印刷手段と、
該拡大・縮小手段及び該印刷手段に動作の開始を指示する操作手段と、
複数サイズの記録紙を収納しうる一つまたは複数の記録紙収納手段と、を有する印刷システムにおいて、
該操作手段には、原稿サイズ優先モードまたは記録紙サイズ優先モードのいずれかを選択しうるモード選択手段が備えられていることを特徴とする印刷システム。
【請求項２】
前記拡大・縮小手段は、拡大または縮小される原稿画像の拡大または縮小の割合を任意に変更し設定することができるように構成されていることを特徴とする請求項１に記載の印刷システム。
【請求項３】
原稿画像を拡大または縮小する拡大・縮小手段と、
原稿画像を印刷する印刷手段と、
該拡大・縮小手段及び該印刷手段に動作の開始を指示する操作手段と、
複数サイズの記録紙を収納しうる一つまたは複数の記録紙収納手段と、を有する印刷システムにおいて、
該操作手段には、記録紙系列優先モードを選択しうるモード選択手段が備えられ、該記録紙系列優先モードが選択されたとき、自動的に、原稿画像が原稿サイズに応じて前記拡大・縮小手段により拡大または縮小され、前記印刷手段により印刷される記録紙のサイズが同系列サイズとなるように構成されていることを特徴とする印刷システム。
【発明の詳細な説明】
【０００１】
【発明の属する技術分野】
本発明は、原稿画像を拡大または縮小して印刷しうる印刷システムに関し、特に、印刷のサイズを予め指定できる印刷システムに関する。
【０００２】
【従来の技術】
パソコンやスキャナを用いて作成した原稿画像をプリンタを介して出力する印刷システムや、紙等に作成された原稿画像を、固定式読取手段または自動原稿送り装置による移動式読取手段により読み取った後でプリントする複写機等からなる印刷システムは広く普及しているが、従来、サイズの異なる原稿が混在したものを自動的に繰り出して所定のサイズの記録紙に最適倍率でプリントする印刷システムは無かった。
【０００３】
然るに、原稿自動給紙装置を用いて、複数のサイズの異なる原稿を自動的に給送する複写機において、原稿自動給紙装置内に原稿サイズを検出する原稿サイズ検出部を設け、検出した原稿サイズに応じて光学系の変倍率を変えて、一定サイズの記録紙に原稿画像をプリントする複写機が提案されている（例えば、特許文献１参照）。
【０００４】
しかしながら、原稿によってはそのままのサイズでプリントしたい場合や、拡大または縮小してプリントしたい場合があり、ユーザにより様々な要望が出ることもある。また、原稿サイズに応じて光学系の変倍率を変える方式では、１ページ当たりのプリント時間が長くなるという問題がある。
【０００５】
【特許文献１】
特開平６−１０２５８７号公報（第３頁、第１図）
【０００６】
【発明が解決しようとする課題】
本発明は、ユーザから出される様々な要望を満足させるため、複数のサイズの異なる原稿をプリントする印刷システムにおいて、操作手段に原稿サイズ優先モードまたは記録紙サイズ優先モードのいずれかを選択しうるモード選択手段を備えた構成とすることにより、印刷のサイズを予め指定できる構成を有する印刷システムを提供することを目的とする。
【０００７】
【課題を解決するための手段】
本発明の目的は、下記の構成によって達成することができる。
【０００８】
（１）  原稿画像を拡大または縮小する拡大・縮小手段と、
原稿画像を印刷する印刷手段と、
該拡大・縮小手段及び該印刷手段に動作の開始を指示する操作手段と、
複数サイズの記録紙を収納しうる一つまたは複数の記録紙収納手段と、を有する印刷システムにおいて、
該操作手段には、原稿サイズ優先モードまたは記録紙サイズ優先モードのいずれかを選択しうるモード選択手段が備えられていることを特徴とする印刷システム。
【０００９】
（２）  前記拡大・縮小手段は、拡大または縮小される原稿画像の拡大または縮小の割合を任意に変更し設定することができるように構成されていることを特徴とする（１）に記載の印刷システム。
【００１０】
（３）  原稿画像を拡大または縮小する拡大・縮小手段と、
原稿画像を印刷する印刷手段と、
該拡大・縮小手段及び該印刷手段に動作の開始を指示する操作手段と、
複数サイズの記録紙を収納しうる一つまたは複数の記録紙収納手段と、を有する印刷システムにおいて、
該操作手段には、記録紙系列優先モードを選択しうるモード選択手段が備えられ、該記録紙系列優先モードが選択されたとき、自動的に、原稿画像が原稿サイズに応じて前記拡大・縮小手段により拡大または縮小され、前記印刷手段により印刷される記録紙のサイズが同系列サイズとなるように構成されていることを特徴とする印刷システム。
【００１１】
【発明の実施の形態】
図１は本発明の第１の実施の形態である印刷システムの概略構成図であり、図２は本発明に係る印刷システムの構成を説明するためのブロック図である。図３は、本発明に係る印刷システムの動作を説明するためのフローチャートである。
【００１２】
図１に示すように、印刷システム１はパソコン１０と画像形成手段であるプリンタ２０とで構成されている。
【００１３】
パソコン１０は、画像処理手段である画像処理部１１、画像表示手段である画像表示部１２、操作手段である操作部１３、記憶手段である記憶部１４、及び制御手段である制御部１５を備えている。プリンタ２０としては、例えば、ワイヤドットプリンタ、インクジェットプリンタ、レーザプリンタ等が用いられ、記録紙収納手段である給紙カセット２１、２２等を備えている。
【００１４】
画像処理部１１は、例えば、パソコン１０に内蔵したプリンタドライバであり、デジタル化された画像データの処理及び保存を行うユニットで、原稿画像を拡大または縮小しうる拡大・縮小手段を有している。画像表示部１２は等倍の原稿画像、または拡大、縮小した原稿画像を表示することができるユニット（ディスプレイ）である。操作部１３は、原稿画像の呼び出しやプリント出力等の指示を入力するタッチパネルやテンキー（不図示）等で構成されたユニットで、原稿サイズ優先モードまたは記録紙サイズ優先モードのいずれかを選択しうるモード選択手段であるモード選択ボタン（不図示）を有している。更に、操作部１３には、原稿画像をページ毎に拡大または縮小してプリントする際に、拡大または縮小の比率を任意に設定変更できる設定変更手段（不図示）が備えられている。該設定変更手段は、操作部１３に配設したボタンでも良く前記タッチパネル内に配設しても良い。記憶部１４は予め入力された各種プログラム等を記憶する機能を有するユニットで、制御部１５は印刷システム１の各部の動作を制御する機能を有するユニットである。
【００１５】
次に、図２及び図３を用いて、印刷システムの動作について説明する。
ユーザはパソコン１０の操作部１３から所望の原稿画像を呼び出し（Ｓ１）、操作部１３に設けてあるモード選択ボタンより、原稿サイズ優先モードまたは記録紙サイズ優先モードのいずれかを選択する（Ｓ２）。
【００１６】
原稿サイズ優先モードが選択されると、制御部１５からの指令により、記憶部１４に保存された原稿サイズ優先プログラムが呼び出され、該プログラムの手順に従い、図示しない原稿サイズ検知センサにより原稿サイズが検出される（Ｓ３）。以下、該プログラムの手順に従い、Ｓ１１まで動作が行われる。制御部１５からの指令により、検出した原稿サイズに対して、プリンタ２０の給紙カセット２１または２２にそれぞれに配設された図示しない記録紙サイズ検知センサにより検出された記録紙サイズが同一サイズとなる側の給紙カセットが選択され、該給紙カセットに備えられた送り出しローラ（不図示）の回転により記録紙が送り出され（Ｓ４）、次ステップＳ１１へと進む。
【００１７】
記録紙サイズ優先モードが選択されると、ユーザは操作部１３に設けてある記録紙サイズ選択ボタン（不図示）により所望の記録紙サイズを選択する（Ｓ５）。次に、制御部１５からの指令により、記憶部１４に保存された記録紙サイズ優先プログラムが呼び出され、該プログラムの手順に従い、原稿サイズ検知センサにより原稿サイズが検出され、選択された記録紙サイズと同一サイズかどうかが比較され（Ｓ６）、原稿サイズと記録紙サイズとが同一のときは、Ｓ１０へ進む。以下、該プログラムの手順に従い、Ｓ１１まで動作が行われる。原稿サイズと記録紙サイズとが異なるときは、Ｓ７へ進み、記録紙サイズと比較して原稿サイズが大きいか、小さいかが判定される（Ｓ７）。原稿サイズが大きい場合にはＳ８に進み、制御部１５からの指令により画像処理部１１が動作され、原稿サイズが記録紙サイズと同一サイズになるよう縮小され（Ｓ８）、原稿サイズが小さい場合にはＳ９に進み、制御部１５からの指令により画像処理部１１が動作され、原稿サイズが記録紙サイズと同一サイズになるよう拡大される（Ｓ９）。所望のサイズの記録紙を収納した給紙カセット（例えば、給紙カセット２１）に備えられた送り出しローラ（不図示）の回転により記録紙が送り出される（Ｓ１０）。
【００１８】
プリンタ２０の画像形成部（不図示）が動作されてプリントが行われる（Ｓ１１）。
【００１９】
図４は、本発明に係る原稿サイズ優先モードが選択された場合の原稿サイズと記録紙サイズとの関係を説明するための模式図である。例えば、原稿サイズが１枚目から順に、Ａ４、Ａ４、Ａ３、Ａ４、と続く場合、記録紙サイズは原稿サイズと同様に１枚目から順に、Ａ４、Ａ４、Ａ３、Ａ４、となる。例えば、図１に示す一方の給紙カセット２１にＡ４サイズの記録紙を、もう一方の給紙カセット２２にＡ３サイズの記録紙を収納している場合には、１枚目、２枚目及び４枚目は給紙カセット２１からＡ４サイズの記録紙を送り出し、３枚目は給紙カセット２２からＡ３サイズの記録紙を送り出すということになる。
【００２０】
図５は、本発明に係る記録紙サイズ優先モードが選択された場合の原稿サイズと記録紙サイズとの関係を説明するための模式図である。例えば、記録紙サイズとしてＡ４サイズが選択され、原稿サイズが１枚目から順に、Ａ４、Ａ４、Ａ３、Ｂ５、と続いた場合、記録紙サイズは全てＡ４となるため、１、２枚目のプリントは等倍で出力されるが、３枚目はＡ３からＡ４への縮小プリント、４枚目はＢ５からＡ４への拡大プリントとなる。記録紙は、図１に示す一方の給紙カセット２１にＡ４サイズ、もう一方の給紙カセット２２に他のサイズの記録紙が収納されている場合、全て給紙カセット２１から送り出されることになる。
【００２１】
本実施の形態では３枚目のＡ３サイズの原稿をＡ４に縮小プリントし、４枚目のＢ５サイズの原稿をＡ４に拡大プリントして出力しているが、どの原稿サイズに対してどの倍率で拡大または縮小するかは、予めプログラムに入力して決めておくことも可能であり、前記設定変更手段により、プリント直前に所望の拡大倍率または縮小倍率を選定しておくことも可能である。
【００２２】
図６は、本発明に係る第２の実施の形態としての記録紙系列を重視した構成における原稿サイズと記録紙サイズとの関係を説明するための模式図である。
【００２３】
本実施の形態が第１の実施の形態と異なる点は、パソコン１０の操作部１３のモード選択手段であるモード選択ボタンに記録紙系列優先モードが追加されていることである。その他の構成及び動作は、第１の実施の形態と同一であるので、説明は省略する。例えば、該モード選択ボタンにより記録紙系列優先モードが選択され、記録紙サイズの系列としてＡ系列を指定した場合において、原稿サイズが１枚目から順に、Ａ４、Ａ４、Ｂ４、Ｂ５、と続いたときには、１、２枚目のプリントは等倍プリントでＡ４サイズの記録紙が送り出されるが、３枚目はＢ４からＡ３への拡大プリントでＡ３サイズの記録紙、４枚目はＢ５からＡ４への拡大プリントでＡ４サイズの記録紙が送り出される。
【００２４】
本実施の形態では３枚目のＢ４サイズの原稿をＡ３に、４枚目のＢ５サイズの原稿をＡ４に拡大プリントして出力しているが、原稿サイズに対してＡ系列のどの記録紙サイズを選択するかは、予めプログラムに入力して決めておく構成とすることも可能であり、前記設定変更手段により、プリント直前に所望の拡大または縮小サイズに設定変更することも可能である。また、後工程でステープルやパンチが選択されているときには、自動的に記録紙系列優先モードが選択される構成としても良い。
【００２５】
記録紙系列を揃えることにより、後処理のステープル、パンチ、及び紙折り作業のミスが少なくなり、ファイリングしやすくなるという利点がある。
【００２６】
なお、本実施例では、原稿画像がパソコンの画像処理部に入力されている方式としているが、紙等の原稿をスキャナで読み込む方式でも本発明が適用できる。
【００２７】
【発明の効果】
複数のサイズの異なる原稿をプリントする印刷システムにおいて、操作手段に原稿サイズ優先モードまたは記録紙サイズ優先モードのいずれかを選択しうるモード選択手段を備えた構成とすることにより、印刷のサイズを予め指定できる構成を有する印刷システムを提供することができる。また、記録紙系列を揃えることにより、後処理がやりやすくなる。更に、原稿サイズに対してどの記録紙サイズを選択するかを、予めプログラムに入力して決めておく構成とすることにより、ページ毎に原稿サイズと記録紙サイズとを比較して拡大、縮小する必要が無くなり、１ページ当たりのプリント時間が短縮できる。
【図面の簡単な説明】
【図１】本発明の第１の実施の形態である印刷システムの概略構成図である。
【図２】本発明に係る印刷システムの構成を説明するためのブロック図である。
【図３】本発明に係る印刷システムの動作を説明するためのフローチャートである。
【図４】本発明に係る原稿サイズ優先モードが選択された場合の原稿サイズと記録紙サイズとの関係を説明するための模式図である。
【図５】本発明に係る記録紙サイズ優先モードが選択された場合の原稿サイズと記録紙サイズとの関係を説明するための模式図である。
【図６】本発明に係る第２の実施の形態としての記録紙系列を重視した構成における原稿サイズと記録紙サイズとの関係を説明するための模式図である。
【符号の説明】
１  印刷システム
１０  パソコン
１１  画像処理部（画像処理手段）
１２  画像表示部（画像表示手段）
１３  操作部（操作手段）
１４  記憶部（記憶手段）
１５  制御部（制御手段）
２０  プリンタ
２１，２２  給紙カセット（記録紙収納手段）
【図１】
2004326512.tif 000003
【図２】
2004326512.tif 000004
【図３】
2004326512.tif 000005
【図４】
2004326512.tif 000006
【図５】
2004326512.tif 000007
【図６】
2004326512.tif 000008